(57)【要約】【課題】音階に対応した音符情報を組み合わせてメロディーを再生する場合において、入力情報により音符情報の再生順序に関連するシーケンス情報を選択し、メロディー再生を行うメロディー再生装置、集積回路装置、電子機器を提供すること。【解決手段】入力情報によりメロディーを再生するメロディー再生装置１０は、音階に対応する音符情報４２の再生順序に関するシーケンス情報４４を、入力情報に基づいて前記シーケンス情報４４を選択するシーケンス情報選択部２０と、選択された前記シーケンス情報４４に従って前記音符情報４２に基づきメロディーを再生するメロディー再生部３０とを含む。【選択図】図１
2010181472.tif 000002
【特許請求の範囲】
【請求項１】
入力情報によりメロディーを再生するメロディー再生装置であって、
音階に対応する音符情報の再生順序に関するシーケンス情報を前記入力情報に基づいて選択するシーケンス情報選択部と、
選択された前記シーケンス情報に従って前記音符情報に基づきメロディーを再生するメロディー再生部と、
を含むことを特徴とするメロディー再生装置。
【請求項２】
請求項１において、
前記メロディー再生装置は、
少なくとも１つの入力ピンを有し、
前記シーケンス情報選択部は、
前記少なくとも１つの入力ピンからの入力情報の組み合わせに基づいて前記シーケンス情報を選択することを特徴とするメロディー再生装置。
【請求項３】
請求項１又は２において、
所定のタイミングで、クロックの分周比、メロディーボリューム及びサンプリング周波数の少なくとも１つを含むメロディー再生用パラメーターの初期情報に基づいて初期設定を行う初期設定部と、
を含むことを特徴とするメロディー再生装置。
【請求項４】
請求項３において、
前記所定のタイミングは、
前記メロディー再生装置への電源投入に関連して設定されたタイミングであることを特徴とするメロディー再生装置。
【請求項５】
請求項３において、
前記所定のタイミングは、
前記メロディー再生装置へのリセット解除に関連して設定されたタイミングであることを特徴とするメロディー再生装置。
【請求項６】
請求項３において、
前記所定のタイミングは、
前記入力情報の入力に関連して設定されたタイミングであることを特徴とするメロディー再生装置。
【請求項７】
請求項３乃至６において、
前記初期情報設定部は、
前記入力情報により選択された前記シーケンス情報に関連する初期情報に基づいて初期設定を行うことを特徴とするメロディー再生装置。
【請求項８】
請求項１乃至７のいずれかにおいて、
前記メロディー再生装置は、
前記シーケンス情報が記憶されたシーケンス情報記憶部を含み、
前記シーケンス情報選択部は、
前記シーケンス情報を前記シーケンス情報記憶部から読み出して選択することを特徴とするメロディー再生装置。
【請求項９】
請求項３乃至８のいずれかにおいて、
前記メロディー再生装置は、
前記初期情報が記憶された初期情報記憶部を含み、
前記初期情報設定部は、
前記初期情報を前記初期情報記憶部から読み出して初期設定を行うことを特徴とするメロディー再生装置。
【請求項１０】
請求項１乃至９のいずれかに記載のメロディー再生装置を含むことを特徴とする集積回路装置。
【請求項１１】
請求項１０に記載の集積回路装置を含むことを特徴とする電子機器。
【発明の詳細な説明】
【技術分野】
【０００１】
本発明は、メロディー再生装置、集積回路装置及び電子機器等に関する。
【背景技術】
【０００２】
メロディー再生ＩＣを搭載し、メロディーを再生するメロディー再生システムが搭載された電子機器が知られている。
【０００３】
従来のメロディー再生装置におけるメロディー再生は、固定のメロディーデータを複数記録したＲＯＭ部を持ち、そのデータをＤＡ変換部でアナログ信号に変換して再生する方法が知られている。
【特許文献１】特開２００２−０９１４４２号公報
【発明の開示】
【発明が解決しようとする課題】
【０００４】
このような従来のメロディー再生装置においては、あらかじめＲＯＭ内に記録された固定のメロディーしか再生できないという問題点を有している。
【０００５】
また、メロディーを再生する場合には、ユーザーがＩＣの設定をメロディー再生前に行わなければならなかった。
【０００６】
また、メロディー再生前にＩＣの設定を行うことは、ホストの処理負担増の原因となっていた。
【０００７】
本発明は、以上のような問題点に鑑みてなされたものである。本発明のいくつかの態様によれば、メロディーを出力するメロディー再生システムにおいて、あらかじめＲＯＭに記録されたメロディーではなくユーザーが設定したメロディーの再生を行えるメロディー再生装置、集積回路装置及び電子機器を提供できる。
【課題を解決するための手段】
【０００８】
（１）本発明は、入力情報によりメロディーを再生するメロディー再生装置であって、音階に対応する音符情報の再生順序に関するシーケンス情報を前記入力情報に基づいて選択するシーケンス情報選択部と、選択された前記シーケンス情報に従って前記音符情報に基づきメロディーを再生するメロディー再生部と、を含むことを特徴とするメロディー再生装置に関係する。
【０００９】
入力情報とは、例えば、シリアルデータからなるコマンドでもよいし、電気信号のＯＮ／ＯＦＦやＨ／Ｌとして受信した入力情報又は複数の電気信号のＯＮ／ＯＦＦやＨ／Ｌの組み合わせとして受信した入力情報でもよい。
【００１０】
音符情報とは、例えば、各音階に対応する音符データである。
【００１１】
音符データとは、メロディー再生装置に含まれるシンセサイザー等で所望の音を生成するためのデータである。例えば、音階と時間に関する情報を含んでいてもよい。
【００１２】
メロディー再生部は、入力情報に基づいてシーケンス情報選択部が選択した、音階に対応する音符情報の再生順序に関するシーケンス情報に従って前記音符情報に基づきメロディーを再生することができる。
【００１３】
このように、本発明によれば、メロディー再生装置は、入力情報に基づいて音符情報の再生順序が特定されるので、複雑なコマンド解釈をしなくても、入力情報よって特定されたシーケンス情報が選択可能となる。
【００１４】
（２）また、このメロディー再生装置は、少なくとも１つの入力ピンを有し、前記シーケンス情報選択部は、前記少なくとも１つの入力ピンからの入力情報の組み合わせに基づいて前記シーケンス情報を選択してもよい。
【００１５】
例えば、このメロディー再生装置は、複数の入力ピンを有し、前記シーケンス情報選択部は、前記複数の入力ピンからの入力情報の組み合わせに基づいて前記シーケンス情報を選択してもよい。
【００１６】
（３）また、このメロディー再生装置では、所定のタイミングで、クロックの分周比、メロディーボリューム及びサンプリング周波数の少なくとも１つを含むメロディー再生用パラメーターの初期情報に基づいて初期設定を行う初期設定部と、を含むようにしてもよい。
【００１７】
（４）また、このメロディー再生装置では、前記所定のタイミングは、前記メロディー再生装置への電源投入に関連して設定されたタイミングとしてもよい。
【００１８】
（５）また、このメロディー再生装置では、前記所定のタイミングは、前記メロディー再生装置へのリセット解除に関連して設定されたタイミングとしてもよい。
【００１９】
（６）また、このメロディー再生装置では、前記所定のタイミングは、前記入力情報の入力に関連して設定されたタイミングとしてもよい。
【００２０】
（７）また、このメロディー再生装置では、前記初期情報設定部は、前記入力情報により選択された前記シーケンス情報に関連する初期情報に基づいて初期設定を行なってもよい。
【００２１】
（８）また、このメロディー再生装置は、前記シーケンス情報が記憶されたシーケンス情報記憶部を含み、前記シーケンス情報選択部は、前記シーケンス情報を前記シーケンス情報記憶部から読み出して選択するようにしてもよい。
【００２２】
（９）また、このメロディー再生装置は、前記初期情報が記憶された初期情報記憶部を含み、前記初期情報設定部は、前記初期情報を前記初期情報記憶部から読み出して初期設定を行ってもよい。
【００２３】
（１０）また本発明は、上記のいずれかに記載のメロディー再生装置を含む集積回路装置に関係する。
【００２４】
（１１）また本発明は、上記に記載のメロディー回路装置を含む電子機器に関係する。
【発明を実施するための形態】
【００２５】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２６】
１．メロディー再生装置の実施形態
図１に本実施形態の構成例を示す。メロディー再生装置１０は、入力情報に基づいて記憶部４０に記憶された音符情報４２の再生順序に関するシーケンス情報４４を選択するシーケンス情報選択部２０と、選択されたシーケンス情報に従って、音階に対応して記憶部４０に記憶された音符情報を読み出してメロディーを再生するメロディー再生部３０とを含む。
【００２７】
音符情報４２は、データは音階単位で圧縮された音符データの音符データファイルとして保持されてもよい。例えばＡＤＰＣＭ形式やＡＡＣ−ＬＣ形式の音符データファイルでもよい。
【００２８】
本実施形態のメロディー再生装置１０では、少なくとも１つの入力ピン６０を有し、シーケンス情報選択部は、少なくとも１つの入力ピン６０からの入力情報の組み合わせに基づいてシーケンス情報を選択してもよい。
【００２９】
本実施形態のメロディー再生装置１０では、音符情報４２、シーケンス情報４４、クロックの分周比、メロディーボリューム及びサンプリング周波数の少なくとも１つを含むメロディー再生用パラメーターの初期情報４９が記憶された記憶部４０から、所定のタイミングで初期情報を読み出して初期設定を行う初期設定部５０と、を含むようにしてもよい。
【００３０】
本実施形態のメロディー再生装置１０によれば、初期情報は記憶部４０に記憶され、ユーザーが初期情報を設定しなくても、所定のタイミングで初期情報を読み出して初期設定を行うことができる。
【００３１】
よって、ユーザーは、初期設定を行うタイミングを意識せず、メロディー再生の指示を出すことが出来る。
【００３２】
また、本実施形態のメロディー再生装置１０では、所定のタイミングは、メロディー再生装置１０への電源投入に関連して設定されたタイミングとしてもよい。
【００３３】
本実施形態のメロディー再生装置１０によれば、電源投入のタイミングで初期情報が設定されるので、ユーザーは電源投入後の初期設定を行なわなくてよい。
【００３４】
また、本実施形態のメロディー再生装置１０では、所定のタイミングは、メロディー再生装置１０へのリセット解除に関連して設定されたタイミングとしてもよい。
【００３５】
本実施形態のメロディー再生装置１０によれば、リセット解除のタイミングで初期情報が設定されるので、ユーザーはリセット解除後の初期設定を行なわなくてよい。
【００３６】
また、本実施形態のメロディー再生装置１０では、所定のタイミングは、入力情報の入力に関連して設定されたタイミングとしてもよい。
【００３７】
本実施形態のメロディー再生装置１０によれば、入力情報が入力されたタイミングで初期情報が設定されるので、入力情報を入力する前に初期設定を行なわなくてよい。
【００３８】
図２（Ａ）は、音符データの一例である。音符データは、メロディーを構成する音階の音符情報である。図２（Ｂ）は、シーケンス情報の一例である。シーケンス情報は、メロディーを構成する音符情報の再生順序に関する情報であり、音符情報（ｆ１、ｆ２、ｆ３、ｆ４、ｆ５、ｆ６）に対応付けられた音符データ特定情報（ｆ’１、ｆ’２、ｆ’３、ｆ’４、ｆ’５、ｆ’６）の再生順序に従って並べたものでもよい。例えば、メロディーとして「ドレミファソ」と「ドレミドレ」の２種類を再生するための音符情報とシーケンス情報とを記憶している場合について説明する。
【００３９】
ｆ１は、「ド」の音符データである。ｆ２は、「レ」の音符データである。ｆ３は、「ミ」の音符データである。ｆ４は、「ファ」の音符データである。ｆ５は、「ソ」の音符データである。ｆ６は、「ラ」の音符データである。
【００４０】
シーケンス情報１は、メロディー「ドレミファソ」を構成する音符データ（ｆ１、ｆ２、ｆ３、ｆ４、ｆ５）に対応付けられた音符データ特定情報（ｆ’１、ｆ’２、ｆ’３、ｆ’４、ｆ’５）を、再生順序に従って並べて構成することができる。シーケンス情報２は、メロディー「ドレミドレ」を構成する音符データ（ｆ１、ｆ２、ｆ３、ｆ１、ｆ２）に対応付けられた音符データ特定情報（ｆ’１、ｆ’２、ｆ’３、ｆ’１、ｆ’２）を、再生順序に従って並べて構成することができる。
【００４１】
「ドレミファソ」を再生する場合には、シーケンス情報１が選択され、ｆ’１に対応する音符データ「ド」（ｆ１）、ｆ’２に対応する音符データ「レ」（ｆ２）、ｆ’３に対応する音符データ「ミ」（ｆ３）、ｆ’４に対応する音符データ「ファ」（ｆ４）、ｆ’５に対応する音符データ「ソ」（ｆ５）を順に再生することによりメロディーを生成することができる。
【００４２】
また、「ドレミドレ」を再生する場合には、シーケンス情報２が選択され、ｆ’１に対応する音符データ「ド」（ｆ１）、ｆ’２に対応する音符データ「レ」（ｆ２）、ｆ’３に対応する音符データ「ミ」（ｆ３）、ｆ’１に対応する音符データ「ド」（ｆ１）、ｆ’２に対応する音符データ「レ」（ｆ２）を順に再生することによりメロディーを生成することができる。
【００４３】
記憶部４０に記憶された音符情報４２は、再生対象となる音符データ情報４１と、音符データを特定する音符データ特定情報４３で構成してもよい。図３（Ａ）（Ｂ）は、再生対象となる音符データ情報４１の一例と、メロディーデータを特定するリンクアドレス（メロディーデータ特定情報４３の一例）の対応例である。図３（Ａ）（Ｂ）では、ａｄ１１、ａｄ１２、ａｄ１３、ａｄ１４、ａｄ１５、ａｄ１６は、それぞれ「ド」に対応する音符データＤ１１、「レ」に対応する音符データＤ１２、「ミ」に対応する音符データＤ１３、「ファ」に対応する音符データＤ１４、「ソ」に対応する音符データＤ１５、「ラ」に対応する音符データＤ１６を特定するリンクアドレスである。ａｄ１１、ａｄ１２、ａｄ１３、ａｄ１４、ａｄ１５、ａｄ１６は、格納されている音符データへの格納アドレスや格納領域指定であってもよい。
【００４４】
シーケンス情報は、メロディーを構成する音符データのリンクアドレスを再生順序に従って指定するようにしてもよい。例えば、図３（Ｂ）に示すように、シーケンス情報ｓ３１は、メロディー「ドレミファソ」を構成する音符データ（Ｄ１１、Ｄ１２、Ｄ１３、Ｄ１４、Ｄ１５）に対応するリンクアドレス（ａｄ１１、ａｄ１２、ａｄ１３、ａｄ１４、ａｄ１５）を再生順序に並べたものである。また、シーケンス情報ｓ３２は、メロディー「ドレミドレ」を構成する音符データ（Ｄ１１、Ｄ１２、Ｄ１３、Ｄ１１、Ｄ１２）に対応するリンクアドレス（ａｄ１１、ａｄ１２、ａｄ１３、ａｄ１１、ａｄ１２）を再生順序に並べたものである。
【００４５】
また、記憶部４０は、シーケンス情報を特定するシーケンス特定情報を含むようにしてもよい。図３（Ｂ）に、シーケンス情報４５と、シーケンス特定情報４７の対応例を示す。図３（Ｂ）のリンクアドレスｓａｄ３１、ｓａｄ３２は、図３（Ｂ）のシーケンス情報ｓ３１、ｓ３２のリンクアドレスである。なお、リンクアドレスによらず、ファイル名によってシーケンス情報を特定してもよい。
【００４６】
例えば、再生対象となるメロディーが「ドレミファソ」である場合、シーケンス情報ｓ３１のリンクアドレスであるｓａｄ３１を指定してもよい。シーケンス情報選択部２０は、取得したリンクアドレスｓａｄ３１に基づいてシーケンス情報ｓ３１を特定する。そして、シーケンス情報選択部２０は、シーケンス情報ｓ３１に基づいて音符データのリンクアドレスａｄ１１、ａｄ１２、ａｄ１３、ａｄ１４、ａｄ１５を特定し、さらに音符データのリンクアドレスａｄ１１、ａｄ１２、ａｄ１３、ａｄ１４、ａｄ１５に基づいて音符データＤ１１、Ｄ１２、Ｄ１３、Ｄ１４、Ｄ１５が特定され、メロディー再生装置１０は、リンクアドレスｓａｄ３１に対応したメロディーである「ドレミファソ」を再生する。
【００４７】
図４に、入力ピンからの入力情報の組み合わせと選択されるシーケンス情報の対応例を示す。例えば、入力ピン数が２つで、入力情報が「０１」である場合には、選択されるシーケンス情報はｓ０１となる。また、シーケンス情報が、リンクアドレスによって特定される場合には、入力情報とシーケンス情報のリンクアドレスを対応付けておいてもよい。
【００４８】
図６（Ａ）、図６（Ｂ）は、クロック分周比として２分周、メロディーボリューム値として−６ｄＢＦＳ、サンプリング周波数として４８ｋＨｚ、を初期情報として記憶部４０に記憶されている場合において所与のタイミングで初期設定がされる場合の一例を示すフローチャートである。
【００４９】
図６（Ａ）は、メロディー再生装置１０への電源投入に関連して設定されたタイミングで初期設定する場合の一例を示すフローチャートである。
【００５０】
メロディー再生装置１０は、電源投入されると（ステップＳ１００）、初期情報を読み出す（ステップＳ１０２）。ここでは、クロック分周比として２分周、メロディーボリューム値として−６ｄＢＦＳ、サンプリング周波数として４８ｋＨｚ、の初期情報が記憶部４０から読み出される。次に、読み出した初期情報に基づいて初期設定を行う（ステップＳ１０４）。
【００５１】
図６（Ｂ）は、メロディー再生装置１０へのリセット解除に関連して設定されたタイミングで初期情報を設定する場合の一例を示すフローチャートである。
【００５２】
メロディー再生装置１０は、リセット解除されると（ステップＳ２００）、初期情報を読み出す（ステップＳ２０２）。ここでは、クロック分周比として２分周、メロディーボリューム値として−６ｄＢＦＳ、サンプリング周波数として４８ｋＨｚ、の初期情報が記憶部４０から読み出される。次に、読み出した初期情報に基づいて初期設定を行う（ステップＳ２０４）。
【００５３】
また、本実施形態のメロディー再生装置１０では、初期情報は、シーケンス情報に関連して記憶部４０に記憶され、初期情報設定部は、入力情報により選択されたシーケンス情報に関連する初期情報に基づいて初期設定を行なってもよい。
【００５４】
本実施形態のメロディー再生装置１０によれば、シーケンス情報ごとに異なる初期設定をする場合には、シーケンス情報ごとに関連付けてシーケンス情報に応じて異なる初期情報を記憶させるだけでよい。
【００５５】
記憶部４０は、例えば、「ドレミファソ」というメロディーを再生する場合において、「ドレミファソ」に対応するシーケンス情報ｓ３１に関連して、クロック分周比として２分周、メロディーボリューム値として−６ｄＢＦＳ、サンプリング周波数として４８ｋＨｚ、を初期情報４９として記憶させるようにしてもよい。
【００５６】
図６（Ｃ）は、「ドレミファソ」というメロディーに対応するシーケンス情報ｓ３１に関連付けて、クロック分周比として２分周、メロディーボリューム値として−６ｄＢＦＳ、サンプリング周波数として４８ｋＨｚ、が初期情報として記憶部４０に記憶されている場合において、メロディー再生装置１０への入力情報の入力に関連して設定されたタイミングで初期情報を設定する場合の一例を示すフローチャートである。
【００５７】
メロディー再生装置１０は、入力情報が入力されると（ステップＳ３００）、初期情報を読み出す（ステップＳ３０２）。例えば、シーケンス情報ｓ３１を指定する入力情報が入力されると、シーケンス情報ｓ３１に関連して記憶された初期情報であるクロック分周比の２分周、メロディーボリューム値の−６ｄＢＦＳ、サンプリング周波数の４８ｋＨｚが記憶部４０から読み出される。
【００５８】
次に、読み出した初期情報に基づいて初期設定を行う（ステップＳ３０４）。
【００５９】
次に、メロディー再生装置は、初期設定された初期情報に基づいてメロディー「ドレミファソ」を再生する（ステップＳ３０６）。
【００６０】
２．集積回路装置
図７は、本実施の形態の集積回路装置について説明するための図である。
【００６１】
集積回路装置２００は、ホストＣＰＵ１００とともに電子機器に実装され、ホストＣＰＵ１００からの制御コマンドによって動作し、電子機器に搭載されるホストＣＰＵ１００をホストとするコンパニオンチップとして動作する。集積回路装置２００は、ホストＣＰＵ１００から発行されるコマンドで制御される。コマンドとしては、集積回路装置２００の起動やデータ転送、再生／停止などの音声処理などが用意されている。
【００６２】
ホストＣＰＵ１００は、電子機器に実装され電子機器の主制御や全体制御を行う電子機器組み込みのマイクロコンピュータ等である。
【００６３】
集積回路装置２００は、シーケンスデータ格納ＲＯＭ１４０を含んでもよい。シーケンスデータ格納ＲＯＭ１４０は、メロディーを構成する音符情報の再生順序であるシーケンス情報を記憶する。シーケンスデータ格納ＲＯＭ１４０は、図１の記憶部４０に相当する。
【００６４】
集積回路装置２００は、音符情報格納ＲＯＭ１５０を含んでもよい。音符情報格納ＲＯＭ１５０は、再生対象となるメロディーを構成する音符情報が格納されるメモリである。音符情報は、メロディー再生装置１０で再生可能なＰＣＭデータ（例えばＡＤＰＣＭ／ＡＡＣ−ＬＣ）等のデータが圧縮した形式で記憶されている。音符情報格納ＲＯＭ１５０は、図１の記憶部４０に相当する。
【００６５】
集積回路装置２００は、メロディー再生装置１０を含む。メロディー再生装置１０は、メロディー再生コマンドを受け取り、受け取ったメロディー再生コマンドに基づき、シーケンスデータ格納ＲＯＭ１４０に記憶されたシーケンス情報に対応した音符情報を音符情報格納ＲＯＭ１５０から読み出して再生出力する。メロディー再生コマンドには、入力ピンからの情報を含む。
【００６６】
メロディー再生装置１０は、制御回路１２０、メモリ制御回路１３０、シーケンスデータ格納ＲＯＭ１４０、音符情報格納ＲＯＭ１５０、音合成回路１６０、Ｄ／Ａコンバータ１７０を含んで構成することが可能である。
【００６７】
制御回路１２０は、ホストＣＰＵ１００とのコマンドやデータのやり取りの制御を行うもので、例えばホストＣＰＵ１００から受け取った各種コマンドの処理（集積回路装置２の起動やデータ転送、再生／停止などの音声処理等）や、ホストＣＰＵ１００との通信のハンドシェイク処理等を行う。制御回路１２０は、図１のシーケンス情報選択部２０に相当する。
【００６８】
メモリ制御回路１３０は、入力されたシーケンス特定情報に対応したシーケンス情報を、シーケンスデータ格納ＲＯＭ１４０から読み出す制御と、シーケンス情報に対応した音符情報を音符情報格納ＲＯＭ１５０から出力する制御を行う。メモリ制御回路１３０は、図１のシーケンス情報選択部２０に相当する。
【００６９】
音合成回路１６０は、音符情報記憶部１５０に格納された音符情報からメロディーを合成する。再生オーディオフォーマットは、例えばＡＤＰＣＭ／ＡＡＣ−ＬＣがサポートされるようにしてもよい。音合成回路１６０は、図１のメロディー再生部３０に相当する。
【００７０】
Ｄ／Ａコンバーター１７０は、音合成回路１６０によりデコードされたデータをＤ／Ａ変換してスピーカー１１０へ出力する。Ｄ／Ａコンバーター１７０は、図１のメロディー再生部３０に相当する。
【００７１】
ホストＣＰＵ１００は、再生するメロディーに対応するシーケンス情報を特定するシーケンス特定情報（コマンド入力や、入力ピンからの入力情報に相当）をメロディー再生装置１０への入力情報として出力する。
【００７２】
メロディー再生装置１０への入力情報は、制御回路１２０に入力される。制御回路１２０は、入力情報を処理し、メモリ制御回路１３０へシーケンス特定情報を出力する。
【００７３】
メモリ制御回路１３０は、入力されたシーケンス特定情報に対応したシーケンス情報を、シーケンスデータ格納ＲＯＭ１４０から読み出す。メモリ制御回路１３０は、シーケンスデータ格納ＲＯＭ１４０から読み出したシーケンス情報に基づき、音符情報格納ＲＯＭ１５０に記憶された音符情報を音合成回路１６０へ出力する。
【００７４】
音合成回路１６０は、入力された音符情報からメロディーを合成し、Ｄ／Ａコンバーター１７０へ出力する。
【００７５】
Ｄ／Ａコンバーター１７０は、合成されたメロディーデータをＤ／Ａ変換してスピーカー１１０へ出力する。
【００７６】
なお、本発明は本実施の形態に限定されず、本発明の要旨の範囲内で種々の変形実施が可能である。
【００７７】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【００７８】
【図１】メロディー再生装置の実施形態の構成例。
【図２】本実施形態の記憶部に記憶された情報の構成例。
【図３】図３（Ａ）音符データ情報と音符データ特定情報の対応例。図３（Ｂ）シーケンス情報とシーケンス特定情報の対応例。
【図４】入力ピンにより特定されるシーケンス情報例。
【図５】本実施形態の他の構成例。
【図６】図６（Ａ）（Ｂ）（Ｃ）初期情報設定のフローチャート。
【図７】集積回路装置の構成例。
【符号の説明】
【００７９】
１０  メロディー再生装置、２０  シーケンス情報選択部、３０  メロディー再生部、
４０  記憶部、
４２  音符情報、４４  シーケンス情報、
４９  初期情報、５０  初期設定部、１００  ホストＣＰＵ、
１１０  スピーカー、１２０  制御回路、１３０  メモリ制御回路、
１４０  シーケンスデータ格納ＲＯＭ、
１５０  音符情報格納ＲＯＭ、１６０  音合成回路、
１７０  Ｄ／Ａコンバーター
【図１】
2010181472.tif 000003
【図２】
2010181472.tif 000004
【図３】
2010181472.tif 000005
【図４】
2010181472.tif 000006
【図５】
2010181472.tif 000007
【図６】
2010181472.tif 000008
【図７】
2010181472.tif 000009